(57)【要約】      （修正有）【課題】片手で使用でき、空いた片手は排尿場面を目隠しする作業などにあて、尿の収納袋の口の部分は、体の局所への密着性を高めることができる携帯用の尿の収納袋を提供する。【解決手段】用便時に、尿の収納袋の底部２が床に届くように、在来の袋の３倍以上の長尺にする。尿の収納袋の口１の縁の内周には、吸水性が高い布製のシートを貼付し、身体の局所との密着を容易にするとともに、排尿後の尿の滴りを、吸収させることができるようになった。【選択図】図２
0003211492.tif 000002
【実用新案登録請求の範囲】
【請求項１】
携帯用の尿の収納袋を利用する際に、袋の底が床などに着地するように、在来の収納袋の３倍以上の深さをもたせた、長尺の携帯用の尿の収納袋。
【請求項２】
携帯用の尿の収納袋の、口の部位の内周に貼付する、形状維持のための、樹脂製のフィルム、シートに、吸水機能に優れる布状のシートを用いた、携帯用の尿の収納袋。
【考案の詳細な説明】
【技術分野】
【０００１】尿意を催した時、便所が近くにない場合や、排便の待機者で混み合っている場合、当事者の困惑は計り知れない。特に高齢者は、排尿の間隔が短く、対策が望まれる。【０００２】実際に、車の渋滞時には悩む。この外、コンサートの会場、スポーツのスタジアム、劇場などの便所では、利用者の行列ができることが多い。利用者が観劇などの休憩時間に集中するからである。【０００３】この外、登山や介護、災害時等に於いて、簡便な排尿対策が望まれる。
【背景技術】
【０００４】緊迫した排尿の対策として、臨機に利用できる、携帯用の尿の収納袋が流通している。形は封筒状の袋である（図１）。これを市場では、「簡易トイレ」の商品名で販売されており、緊迫する尿意に対応している。【０００５】この尿の収納袋の素材は、ポリエチレン等の合成樹脂である。袋の中には、吸水ポリマーの粉末が投入されている。ポリマーは尿を半固化し、廃棄処理などで取り扱いが容易になる。【０００６】排尿後は袋の口を閉じ、用済みの紙おむつと同様に扱い、ゴミ袋などに収納し廃棄する。
【考案の概要】
【考案が解決しようとする課題】
【０００７】これまでの携帯用の尿の収納袋の機能を向上させるとともに、その使用法を簡便化したい。【０００８】尿収納袋の課題の第一は、その寸法にある。流通している袋の平均的な寸法は、袋の口の外周（図１−１）が３０ｃｍから４０ｃｍで、袋の深さは２５ｃｍ前後である。【０００９】課題は、袋の深さが浅いことにある（図１）。この袋を用いて排尿すると、尿の全ての重量が手にかかり、その荷重を支えるために、両手を使わざるを得なくなる。即ち両手は、袋の口（図１−１）を、身体の局所にあてがう作業と、荷重を支える作業という、２種の作業を同時に行わなければならない。【００１０】流通している尿の収納袋の課題の第二は、袋の口の部位にある。これまでの袋は、樹脂製のフィルムやシート（図３）を図４−（３）のように、袋の口の内側（内周）に貼付している。その機能は、形状を保持するためと、袋の口を開け易くするためである。このフィルムやシートに、排尿後の尿の滴り（したたり）を吸収する機能をもたせたい。
【課題を解決するための手段】
【００１１】本考案の第一は、尿の収納袋の探さを長尺にすることである。即ち、従来品に比べ３倍以上にする。この尿の収納袋を利用する場合、袋の底を着地させるための考案である。【００１２】尿の収納袋は、長尺にすることによって、排尿の行為が起立状態でも、着座状態でも、またベッド等に横臥していても、袋を身体の局所にあてがうと、袋の底は床や地面に接する。このとき袋を吊り下げる（支持する）手に、荷重は一切かからない。このため、もう一方の片手は、別の作業を行うことができるようになった。【００１３】本考案の第二は、尿の収納袋の口の部位（内周）に貼りつけるフィルム、シートの改良である。即ち、フィルムやシートを単なる合成樹脂ではなく、素材に吸水ポリマーを含浸させたり、塗布したりする等  した、吸水性に優れた布状のシートを用いることである。これにより、排尿後の尿の滴りに対応できることになった。さらに布状のシートは柔軟なため、女性の局部に密着しやすくなり、その使用が簡便になった。
【本考案の効果】
【００１４】本考案の効果の第一は、尿の収納袋を身体の局所にあてがう作業と、袋を吊り下げるという二種の作業が、片手でできるようになったことである。本考案になる尿の収納袋の底は、床や地面に着地しているので、尿は袋の底に一気に落下する。従って、手には袋の荷重がかからない。
【００１５】このため、他方の片手で別の作業を行うことを可能にした。空いた片手の重要な作業は、用便（排尿）状態の目隠しである。即ち、空いた片手で装着した尿の収納袋を、コートや上衣、新聞紙等を用いて、覆い隠すことができるようになった。これにより、用便の場所を探すなどの気遣いがほとんどいらなくなった。
【００１６】効果の第二は、尿の収納袋の口の部位（内周）に、吸水力が高い布シートを貼付したことである。これにより尿の誘導を容易にし、さらに排尿後の尿の滴りを吸収し易くなった。また柔軟な布シートは、女子の局所への密着性を向上させることになった。
【図面の簡単な説明】
【００１７】
【図１】図１は、従来の尿の収納袋の外観を示す斜視図である。
【図２】図２は、本考案になる尿の収納袋の外観を示す斜視図である。図１と図２は同じ縮尺である。
【図３】図３は、尿の収納袋の口の部位の内側に貼付する、樹脂製のフィルムを示す。
【図４】図４は、尿の収納袋の口の部位の内側（内周）に、形状維持のフィルムを貼付した展開図（斜視図）である。
【図５】図５は、袋の口の部位を開いた斜視図である。
【考案を実施するための形態】
【００１８】尿の収納袋の素材は、ポリエチレン樹脂製のフィルムがよい。
【００１９】本考案になる尿の収納袋の深さは、８０ｃｍ以上が望ましい。この寸法によると、いかなる排尿の姿勢でも、袋の底は着地する。その上、排尿の目隠しに手軽に利用できる新聞紙のサイズを考慮した。即ち、新聞紙の二つ折りを開いた時の寸法は、８０ｃｍである。
【００２０】これまでの尿の収納袋には、吸水ポリマーの粉末が封入されているが、本考案では、ポリマーの粉末に変えて、吸水力が高い布シートも利用する。
【符号の説明】
【００２１】１  …  尿の収納袋の口の部位。
２  …  尿の収納袋の底部。
３  …  尿の収納袋の口の縁の部位に貼りつけるフィルム（シート）。
４  …  折り目。
５  …  袋のシール部分。
６  …  袋の折り目。
【図１】
0003211492.tif 000003
【図２】
0003211492.tif 000004
【図３】
0003211492.tif 000005
【図４】
0003211492.tif 000006
【図５】
0003211492.tif 000007
【手続補正書】
【提出日】平成29年5月2日(2017.5.2)
【手続補正１】
【補正対象書類名】実用新案登録請求の範囲
【補正対象項目名】全文
【補正方法】変更
【補正の内容】
【実用新案登録請求の範囲】
【請求項１】
携帯用の尿の収納袋を利用する際に、収納袋の底が床に着地するように、収納袋が８０ｃｍ以上の深さを有することを特徴とする長尺の携帯用の尿の収納袋。
【請求項２】
携帯用の尿の収納袋の口の部分の内周に、形状維持のための、吸水機能に優れる布状のシートを用いたことを特徴とする請求項１に記載の携帯用の尿の収納袋。